(57)【要約】【課題】筐体の裏面側の配線スペースを確保し、施工性を向上できる照明装置を提供する。【解決手段】照明装置10は、筐体15、光源および制御ユニット18を備える。光源は、筐体15の表面側に設けられる。制御ユニット18は、ケース56にセンサ57、センサ基板58および電源基板59を一括に収め、筐体15の裏面側に配設される。センサ基板58は、センサ57が検出する信号を取得するセンサ回路71を有する。電源基板59は、センサ回路71が取得する信号に応じて光源へ電源を供給する電源回路72を有する。【選択図】図１
2017135066.tif 000002
【特許請求の範囲】
【請求項１】
筐体と；
この筐体の表面側に設けられる光源と；
センサと、このセンサが検出する信号を取得するセンサ回路を有するセンサ基板と、前記センサ回路が取得する信号に応じて前記光源へ電源を供給する電源回路を有する電源基板と、これらセンサ、センサ基板および電源基板を一括に収めて前記筐体の裏面側に配設されるケースとを備える制御ユニットと；
を具備することを特徴とする照明装置。
【請求項２】
前記ケースは、前記センサを中心として、前記センサの一側に前記センサ基板を、前記センサの他側に前記電源基板をそれぞれ収めている
ことを特徴とする請求項１記載の照明装置。
【発明の詳細な説明】
【技術分野】
【０００１】
本発明の実施形態は、センサを備えた照明装置に関する。
【背景技術】
【０００２】
従来、例えば天井直付形の照明装置においては、筐体に、光源、例えば人感センサや照度センサなどのセンサ、センサからの信号を取得して処理するセンサ回路を有するセンサ基板、センサ回路が取得する信号に応じて光源への電源の供給を制御する電源回路を有する電源基板などがそれぞれ設けられたものがある。
【０００３】
この場合、筐体の表面側に、光源が設けられ、また、筐体の裏面側に、少なくともセンサ基板および電源基板が設けられているとともに、外部から電源回路に電源を供給する電源線を配線するための配線スペースが設けられている。
【０００４】
筐体の裏面側にはセンサ基板および電源基板がそれぞれ個別に設けられるのが一般的であり、筐体の裏面側の領域をセンサ基板および電源基板が占領し、配線スペースが制限されやすい。
【０００５】
照明装置が小形、薄形の場合、十分な広さの配線スペースを確保できず、施工性が損なわれることがある。
【先行技術文献】
【特許文献】
【０００６】
【特許文献１】特開２０１５−７６３３３号公報
【発明の概要】
【発明が解決しようとする課題】
【０００７】
本発明が解決しようとする課題は、筐体の裏面側の配線スペースを確保し、施工性を向上できる照明装置を提供することである。
【課題を解決するための手段】
【０００８】
実施形態の照明装置は、筐体、光源および制御ユニットを備える。光源は、筐体の表面側に設けられる。制御ユニットは、ケースにセンサ、センサ基板および電源基板を一括に収め、筐体の裏面側に配設される。センサ基板は、センサが検出する信号を取得するセンサ回路を有する。電源基板は、センサ回路が取得する信号に応じて光源へ電源を供給する電源回路を有する。
【発明の効果】
【０００９】
本発明によれば、筐体の裏面側の配線スペースを確保し、施工性を向上させることが期待できる。
【図面の簡単な説明】
【００１０】
【図１】一実施形態を示す照明装置のベース体を外した背面図である。
【図２】同上照明装置の図１Ａ−Ａ視断面図である。
【図３】同上照明装置の図１Ｂ−Ｂ視断面図である。
【図４】同上照明装置の外郭カバーを外した正面図である。
【発明を実施するための形態】
【００１１】
以下、一実施形態を、図１ないし図４を参照して説明する。
【００１２】
照明装置10は、天井面11に直付設置される小形および薄形の天井直付形照明器具である。
【００１３】
照明装置10は、天井面11に設置されるベース体12、このベース体12に取り付けられる灯体13、およびこの灯体13に被着される外郭カバー14を備えている。さらに、灯体13は、筐体15、この筐体15の表面側に配設された光源16、前面カバー17、筐体15の裏面側に配設された制御ユニット18および端子台19を備えている。
【００１４】
そして、ベース体12は、円盤状に設けられており、スタット23、およびこのスタット23を覆うように組み合わされたパッキング24を有している。スタット23の周辺には、灯体13（筐体15）を取り付けるための複数のねじ25が固定されている。ベース体12の中央には、天井面11側から導かれる電源線を通すための配線孔26が形成されている。そして、ベース体12は、複数のねじ27によって天井面11に取り付けられ、パッキング24が天井面11に密着して防水性が確保される。
【００１５】
また、灯体13の筐体15は、金属製で、例えばアルミダイカストによって一体形成されている。筐体15は、円盤状の前面部30、およびこの前面部30の周辺部に設けられた円筒状の周面部31を有し、裏面側が開口されている。
【００１６】
前面部30の前面中央に円形の凹部32が形成され、この凹部32に光源16を取り付ける光源取付部33が形成されているとともにこの光源取付部33の周囲に配線溝34が形成されている。さらに、凹部32内で光源取付部33の外側位置には、前面部30を貫通する配線孔が設けられているとともにこの配線孔にパッキング35が装着されている。また、前面部30には、凹部32に隣接する位置に、前面部30を貫通する円形のセンサ開口36が形成されている。また、前面部30の周囲およびセンサ開口36の周囲をそれぞれ囲むように連続して溝部37が設けられ、この溝部37に沿ってパッキング38が装着されている。
【００１７】
筐体15の周辺部で円周上の対称位置に、ベース体12に取り付けるための一対の取付部39が設けられている。取付部39は周面部31の一部が筐体15の内側に窪むように設けられており、この取付部39にベース体12から突出するねじ25が挿通される。そして、各取付部39に挿通されたねじ25に化粧ナット40をそれぞれ螺着することにより、灯体13がベース体12に締め付け固定されるとともに、灯体13（筐体15）がベース体12のパッキング24に密着して防水性が確保される。
【００１８】
筐体15の裏面側には、前面部30の裏面側中央に光源取付部33の裏面側が突出され、前面部30の周辺部に制御ユニット18、端子台19、および配線などをそれぞれねじ止めするための複数のボス41が突設されている。そして、筐体15の裏面側には、一対の取付部39を結ぶ仮想線によって仕切られる一側の略半分の周辺領域に制御ユニット18が収容され、他側の略半分の周辺領域および中央領域に配線スペース42が設けられている。
【００１９】
また、灯体13の光源16は、発光モジュール44によって構成されている。発光モジュール44は、基板45、この基板45の表面に設けられた発光素子46を有している。本実施形態では、発光素子46は、発光ダイオードを用いたＳＭＤ（Surface Mount Device）パッケージが用いられ、図４に示すように複数の発光素子46が基板45に実装されている。なお、発光モジュール44としては、基板45の前面側に複数の発光ダイオードを実装し、これら発光ダイオードを蛍光体層で覆ったＣＯＢ（Chip On Board）モジュールでもよく、また、発光素子としては、ＥＬ素子などを用いてもよい。
【００２０】
光源16は、筐体15の光源取付部33の前面に取り付けられている。すなわち、発光モジュール44の基板45が筐体15の光源取付部33に複数のねじ47で締め付け固定され、基板45が筐体15に熱的に接続されている。
【００２１】
また、灯体13の前面カバー17は、光源カバー49およびセンサカバー50を備えている。
【００２２】
光源カバー49は、筐体15の前面側全体を覆うもので、透光性および拡散性を有する例えば乳白色の樹脂材料によって円板状に形成されている。光源カバー49には、筐体15のセンサ開口36に対向する位置に、センサカバー50を嵌合する円形の窓孔51が形成されている。
【００２３】
センサカバー50は、透光性を有する例えば半透明あるいは透明の樹脂材料によって円筒状に形成されている。センサカバー50は光源カバー49の窓孔51に嵌合されるとともに、センサカバー50と光源カバー49との間にパッキング52が介在されて防水性が確保されている。
【００２４】
前面カバー17は、筐体15の前面側に配置され、光源カバー49の周辺部に挿通される複数のねじ53が筐体15に螺着されることにより、筐体15に締め付け固定されているとともに、パッキング38に密着して防水性が確保されている。
【００２５】
また、灯体13の制御ユニット18は、ケース56を備えるとともに、このケース56に一括に収められたセンサ57、センサ基板58および電源基板59を備えている。
【００２６】
ケース56は、絶縁性を有する樹脂製で、筐体15の裏面側の略半分の周辺領域に配設されるように半環状に形成されており、第１のケース60と第２のケース61とを組み合わせて構成されている。第１のケース60の下面側が開口され、この第１のケース60の下面側を閉塞するように第２のケース61が第１のケース60に取り付けられ、これら第１のケース60と第２のケース61との内側間にセンサ57、センサ基板58および電源基板59を収容する収容空間62が形成されている。第１のケース60および第２のケース61の内側には、第１のケース60と第２のケース61との間でセンサ基板58および電源基板59をそれぞれ挟み込んで保持する複数の保持部63が形成されている。第１のケース60には、筐体15の裏面側に設けられた複数のボス41にそれぞれねじ64で締め付け固定される取付部65が設けられている。第２のケース61の中央には、筐体15のセンサ開口36に嵌合するセンサ筒66が突設され、このセンサ筒66の内側にセンサ窓67が形成されている。
【００２７】
センサ57は、所定の検出エリア内にいる人が発する赤外線を受光して人の存在を検出する人感センサ68、および明るさを検出する照度センサ69を備えている。人感センサ68および照度センサ69は、ケース56のセンサ窓67に対向するセンサ基板58の下面に実装され、それぞれの検出面（受光面）がセンサ窓67を通じてセンサカバー50に対向されており、センサカバー50を通じてそれぞれ赤外線および光を検出可能とする。人感センサ68には、所定の検出エリアからの赤外線を人感センサ68に入射させるレンズ70が用いられている。そして、センサ57は、ケース56の中央に配設されている。また、人感センサ68は、光源16の側部に配置され、検出面（受光面）が光源16の発光面と略同じか上方にあるとともに、検出面（受光面）および光源16の発光面よりも下方に突出するケース56のセンサ筒66内に位置されている。照度センサ69は、光源16に対して人感センサ68よりも外側にあって、人感センサ68を中心に光源16に対して反対側に配設されている。
【００２８】
センサ基板58は、ケース56内の中央から一側に亘って配設され、すなわちセンサ57を中心としてセンサ57の一側に配設されている。センサ基板58の一部はケース56のセンサ窓67に対向され、この対向面に人感センサ68および照度センサ69がそれぞれ実装されている。センサ基板58には、人感センサ68および照度センサ69からの信号を取得して処理するセンサ回路71が設けられている。センサ回路71を構成する複数の電子部品がセンサ基板58に実装されている。
【００２９】
電源基板59は、ケース56内の中央よりも他側に配設され、すなわちセンサ57を中心としてセンサ57の他側に配設されている。電源回路72には、交流電源を所定の直流電源に変換して光源16に供給するとともに所定の制御電源に変換してセンサ基板58に供給する電源回路72が設けられている。電源回路72は、センサ回路71が人感センサ68および照度センサ69から取得する信号に応じて光源16へ電源を供給する。
【００３０】
センサ回路71もしくは電源回路72は、人感センサ68および照度センサ69による検出に基づき、光源16の点灯と消灯を自動的に制御する制御部を備えている。制御部は、照度センサ69によって検出される周囲の明るさが所定の閾値よりも暗い場合、人感センサ68による人体の検出に伴って光源16を点灯させ、また、照度センサ69によって検出される周囲の明るさが所定の閾値よりも明るい場合、人感センサ68による人体の検出の有無にかかわらず、光源16を消灯状態に保つように自動的に制御する。
【００３１】
ケース56の外側面には、点灯および消灯動作する周囲の明るさの閾値を調整するセンサ摘み73、およびオン・オフモードや調光・オンモードなどのモードを設定するセンサ摘み74がそれぞれ設けられている。これらセンサ摘み73，74は、筐体15の側面に設けられた操作孔から突出されているとともに、筐体15の側面の操作孔75を覆うように装着された柔軟性を有する例えばシリコーン製の覆い部材76で覆われており、覆い部材76を介して操作可能としている。覆い部材76は、筐体15に密着し、防水性が確保されている。筐体15の側面の覆い部材76は、灯体13に取り付けられる外郭カバー14によって隠蔽され、灯体13から外郭カバー14をはずすことによって露出して操作可能とする。
【００３２】
筐体15の配線スペース42に対向するケース56の一端および他端に、配線孔がそれぞれ設けられているとともに、各配線孔にパッキング77，78がそれぞれ装着されている。一端のパッキング77には電源基板59の電源入力部と端子台19とを電気的に接続する入力配線79が挿通され、他端のパッキング78には電源基板59の光源出力部と光源16とを電気的に接続する出力配線80が挿通されている。ケース56から引き出された出力配線80は、筐体15のパッキング35を挿通されるとともに筐体15の前面側で配線溝34に配設されて、発光モジュール44の基板45に電気的に接続されている。また、センサ基板58と電源基板59とは、電線などによって電気的に接続されている。
【００３３】
また、灯体13の端子台19は、筐体15の裏面側の配線スペースにねじ止めされ、入力配線79が電気的に接続されている。そして、施工時において、ベース体12の配線孔26から引き出される電源線が端子台19に電気的に接続される。
【００３４】
また、外郭カバー14は、化粧カバーであり、灯体13を覆って灯体13に着脱可能に取り付けられる。外郭カバー14は、灯体13の前面周辺部を覆う環状の前面カバー部83、および灯体13の側面を覆う筒状の側面カバー部84を有している。前面カバー部83の中央の開口からは光源カバー49およびセンサカバー50が露出されている。そして、外郭カバー14は、灯体13に被着して回動させることによって筐体15の外周面に螺合され、灯体13に着脱可能に取り付けられている。
【００３５】
そして、照明装置10を天井面11に設置するには、まず、ベース体12を天井面11に設置し、ベース体12の配線孔26から引き出される電源線を灯体13の端子台19に電気的に接続し、この電源線を筐体15の裏面側の配線スペース42に収めながら灯体13をベース体12に配置し、化粧ナット40によって灯体13をベース体12に締め付け固定し、外郭カバー14を灯体13に装着する。照明装置10を天井面11に設置すると、ベース体12のパッキング24が天井面11および筐体15にそれぞれ密着し、灯体13の防水性が確保される。
【００３６】
次に、照明装置10は、オン・オフモードに設定されている場合の動作を説明する。
【００３７】
照度センサ69によって検出する周囲の明るさが所定の閾値よりも明るい場合、人感センサ68による人体の検出の有無にかかわらず、光源16を消灯状態に保つ。
【００３８】
照度センサ69によって検出する周囲の明るさが所定の閾値よりも暗い場合でも、人感センサ68が人体を検出しなければ、光源16を消灯状態に保つ。
【００３９】
照度センサ69によって検出する周囲の明るさが所定の閾値よりも暗い場合に、検出エリア内から人が進入し、人感センサ68が人体を検出すると、光源16を点灯させる。さらに、検出エリア内から人が退出し、人感センサ68が人体を検出しなくなると、光源16を消灯させる。
【００４０】
そして、本実施形態の照明装置10では、センサ57、センサ基板58および電源基板59をケース56内に一括に収めることにより、コンパクトにまとめた制御ユニット18を構成することができる。
【００４１】
この制御ユニット18を筐体15の裏面側に配設することにより、筐体15の裏面側には広い配線スペース42を確保することができ、施工時に、電源線を端子台19に容易に接続できたり、灯体13をベース体12に配置する際に電源線を筐体15の裏面側の配線スペース42に容易に収めることができるなど、電源線の取り回しがよく、施工性を向上できる。
【００４２】
また、ケース56には、センサ57を中心として、センサ57の一側にセンサ基板58を、センサ57の他側に電源基板59をそれぞれ収めているため、センサ57、センサ基板58および電源基板59を効率よくケース56内に収めることができ、コンパクトにまとめることができる。
【００４３】
また、センサ57、センサ基板58および電源基板59が樹脂製のケース56に収め、金属製の筐体15に配置するため、センサ57、センサ基板58および電源基板59の絶縁性を確実に確保することができる。
【００４４】
また、人感センサ68は、光源16の側部に配置され、検出面（受光面）が光源16の発光面と略同じか上方にあるが、検出面（受光面）および光源16の発光面よりも下方に突出するケース56のセンサ筒66内に位置されているため、光源16からの光の影響を少なくすることができる。
【００４５】
さらに、照度センサ69は、光源16に対して人感センサ68よりも外側にあって、人感センサ68を中心に光源16に対して反対側に配設されているため、光源16からの光の影響を少なくすることができる。
【００４６】
なお、センサ57は、人感センサ68や照度センサ69に限らず、例えば、照明装置10をリモコン操作するためのリモコン受信部など、他のセンサでもよい。
【００４７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４８】
10    照明装置
15    筐体
16    光源
18    制御ユニット
56    ケース
57    センサ
58    センサ基板
59    電源基板
71    センサ回路
72    電源回路
【図１】
2017135066.tif 000003
【図２】
2017135066.tif 000004
【図３】
2017135066.tif 000005
【図４】
2017135066.tif 000006